(57)【要約】  本発明は、実装することが可能な電子部品の点数を増加でき、必要な点数の電子部品を実装する場合であっても、小型化することができるモジュール基板、及びモジュール基板の製造方法を提供する。  本発明は、ベース基板１の少なくとも一面に複数の電子部品２を実装したモジュール基板１０において、複数の電子部品２を実装したベース基板１の一面に接続されている柱状の端子接続基板３を備えている。端子接続基板３は、複数の導体部３１を有し、柱状の端子接続基板３の少なくとも一角が平面及び／又は曲面で面取されており、面取されている面と接する側面にてベース基板１の一面に接続されている。
2012056879.tif 000002
【特許請求の範囲】
【請求項１】
ベース基板の少なくとも一面に複数の電子部品を実装したモジュール基板において、
複数の前記電子部品を実装した前記ベース基板の一面に接続してある複数の導体部を備え、
前記導体部は、少なくとも一角が平面及び／又は曲面で面取されており、面取した平面及び／又は曲面と接する側面にて前記ベース基板の一面に接続されていることを特徴とするモジュール基板。
【請求項２】
前記導体部は、面取した平面及び／又は曲面が前記ベース基板の内側を向くように配置されていることを特徴とする請求項１に記載のモジュール基板。
【請求項３】
前記導体部は、前記ベース基板に直交する面での横断面形状が逆Ｌ字状であることを特徴とする請求項１又は２に記載のモジュール基板。
【請求項４】
複数の前記導体部を有し、複数の前記電子部品を実装した前記ベース基板の一面に接続されている柱状の端子接続基板を備え、
前記端子接続基板は、少なくとも一角が平面及び／又は曲面で面取されており、面取した平面及び／又は曲面と接する側面にて前記ベース基板の一面に接続されていることを特徴とする請求項１に記載のモジュール基板。
【請求項５】
前記端子接続基板は、面取した平面及び／又は曲面が前記ベース基板の内側を向くように配置されていることを特徴とする請求項４に記載のモジュール基板。
【請求項６】
前記端子接続基板は、横断面形状が逆Ｌ字状であることを特徴とする請求項４又は５に記載のモジュール基板。
【請求項７】
前記端子接続基板は、複数の絶縁部を有し、前記導体部と前記絶縁部とを交互に柱状に重ね合わせることを特徴とする請求項４乃至６のいずれか一項に記載のモジュール基板。
【請求項８】
前記端子接続基板の前記ベース基板の外側方向の側面に絶縁板が配置されていることを特徴とする請求項４乃至７のいずれか一項に記載のモジュール基板。
【請求項９】
前記端子接続基板は、前記絶縁部及び／又は前記絶縁板で複数の前記導体部を固着してあることを特徴とする請求項７又は８に記載のモジュール基板。
【請求項１０】
前記導体部又は前記端子接続基板は、前記ベース基板の外側方向の側面の位置を、前記ベース基板の側面の位置に合わせて配置されていることを特徴とする請求項１乃至７又は９のいずれか一項に記載のモジュール基板。
【請求項１１】
前記ベース基板の一面に対して垂直方向から平面視した場合、前記導体部又は前記端子接続基板と前記電子部品とが重なる領域が存在することを特徴とする請求項１乃至１０のいずれか一項に記載のモジュール基板。
【請求項１２】
前記ベース基板の一面に実装した前記電子部品を被覆する樹脂層を備え、
前記導体部又は前記端子接続基板の一部が前記樹脂層から露出されていることを特徴とする請求項１乃至１１のいずれか一項に記載のモジュール基板。
【請求項１３】
前記導体部又は前記端子接続基板は、前記ベース基板と接続されている面と反対側の面で実装用基板と接続されていること特徴とする請求項１乃至１２のいずれか一項に記載のモジュール基板。
【請求項１４】
少なくとも一面に複数の電子部品を実装した集合基板を分断して、該集合基板から複数のモジュール基板を切り出すモジュール基板の製造方法において、
横断面形状がＴ字状である柱状の端子接続基板を形成する第１工程と、
形成した柱状の前記端子接続基板を、切り出し位置を跨ぐように、前記集合基板の一面に接続する第２工程と、
前記集合基板から前記切り出し位置にて複数のモジュール基板を切り出す第３工程と
を含み、
前記第３工程は、横断面形状がＴ字状である柱状の前記端子接続基板を、横断面形状が逆Ｌ字状である２つの柱状の前記端子接続基板に分割することを特徴とするモジュール基板の製造方法。
【請求項１５】
前記第１工程は、複数の導体部と、複数の絶縁部とを、交互に柱状に重ね合わせて前記端子接続基板を形成することを特徴とする請求項１４に記載のモジュール基板の製造方法。
【請求項１６】
少なくとも一面に複数の電子部品を実装した集合基板を分断して、該集合基板から複数のモジュール基板を切り出すモジュール基板の製造方法において、
横断面形状が逆Ｌ字状である２つの柱状の端子接続基板を支持部で接続した、横断面形状がＴ字状である柱状の前記端子接続基板を形成する第１工程と、
形成した柱状の前記端子接続基板を、前記支持部が切り出し位置を跨ぐように、前記集合基板の一面に接続する第２工程と、
前記集合基板から前記切り出し位置にて複数のモジュール基板を切り出す第３工程と
を含み、
前記第３工程は、前記支持部を分断して、横断面形状が逆Ｌ字状である２つの柱状の前記端子接続基板に分割することを特徴とするモジュール基板の製造方法。
【請求項１７】
前記第３工程は、前記支持部を除去することを特徴とする請求項１６に記載のモジュール基板の製造方法。
【請求項１８】
前記集合基板から複数のモジュール基板を切り出す前に、前記集合基板の少なくとも一面に実装した前記電子部品を被覆する樹脂層を形成する第４工程を含み、
前記第４工程は、前記端子接続基板の一部が露出するように前記樹脂層を形成することを特徴とする請求項１４乃至１７のいずれか一項に記載のモジュール基板の製造方法。
【発明の詳細な説明】
【技術分野】
【０００１】
本発明は、少なくとも一面に複数の電子部品を実装したベース基板に、端子接続基板を接続してあるモジュール基板及びモジュール基板の製造方法に関する。
【背景技術】
【０００２】
近年、電子機器の小型化、軽量化に伴い、電子機器に実装するモジュール基板自体も小型化、軽量化が求められている。そのため、リード端子、半田ボール、キャビティ構造等を用いて電子部品をベース基板の両面に実装することでモジュール基板の小型化、軽量化が行われている。【０００３】
特許文献１には、両面に複数の電子部品を半田実装したメイン基板と、メイン基板の外周に半田実装した４個の略直方体のサブ基板とを備えるモジュール基板が開示されている。サブ基板は、基材の表面にＵ字状に形成された電極を有している。また、特許文献１では、サブ基板に囲まれた部分には、電子部品を覆うように樹脂が塗布してある。これにより、モジュール基板を、特殊な配線を必要とすることなく容易に製造することができるとともに機械を介して自動的にマザー基板に実装することもできる。
【先行技術文献】
【特許文献】
【０００４】
【特許文献１】特開２００４−３０３９４４号公報
【発明の概要】
【発明が解決しようとする課題】
【０００５】
特許文献１に開示してあるサブ基板は、略直方体であるため、断面積は一定である。そのため、サブ基板とマザー基板とを安定して接続するために、サブ基板の断面積を大きくした場合、電子部品を実装することができる領域が小さくなる。電子部品を実装することができる領域が小さくなった場合、実装することが可能な電子部品の点数が減少し、同じ点数の電子部品を実装するためにはモジュール基板自体を大きくする必要があり、モジュール基板を小型化できないという問題が生じる。【０００６】
本発明は斯かる事情に鑑みてなされたものであり、実装することが可能な電子部品の点数を増加させることができ、必要な点数の電子部品を実装する場合であっても、小型化することができるモジュール基板、及びモジュール基板の製造方法を提供することを目的とする。
【課題を解決するための手段】
【０００７】
上記目的を達成するために本発明に係るモジュール基板は、ベース基板の少なくとも一面に複数の電子部品を実装したモジュール基板において、複数の前記電子部品を実装した前記ベース基板の一面に接続されている複数の導体部を備え、前記導体部は、少なくとも一角が平面及び／又は曲面で面取されており、面取した平面及び／又は曲面と接する側面にて前記ベース基板の一面に接続されていることを特徴とする。【０００８】
上記構成では、導体部は、少なくとも一角が平面及び／又は曲面で面取されており、面取した平面及び／又は曲面と接する側面にてベース基板の一面に接続することにより、導体部の下方にも電子部品を実装することが可能となる。したがって、電子部品を実装することができる領域を大きくすることができ、実装することが可能な電子部品の点数を増加させることができる。また、必要な点数の電子部品を実装する場合であっても、モジュール基板を小型化することが可能となる。【０００９】
また、本発明に係るモジュール基板は、前記導体部は、面取した平面及び／又は曲面が前記ベース基板の内側を向くように配置されていることが好ましい。【００１０】
上記構成では、導体部は、面取した平面及び／又は曲面がベース基板の内側を向くように配置されているので、導体部の下方にも電子部品を実装することが可能となる。したがって、電子部品を実装することができる領域を大きくすることができ、実装することが可能な電子部品の点数を増加させることができる。また、必要な点数の電子部品を実装する場合であっても、モジュール基板を小型化することが可能となる。【００１１】
また、本発明に係るモジュール基板は、前記導体部は、前記ベース基板に直交する面での横断面形状が逆Ｌ字状であることが好ましい。【００１２】
上記構成では、導体部は、横断面形状が逆Ｌ字状であるので、導体部とベース基板の一面とで囲まれた凹部が形成され、形成された凹部に電子部品を実装することができる領域を確保することができる。したがって、実装することが可能な電子部品の点数を増加させることができ、必要な点数の電子部品を実装する場合であっても、モジュール基板を小型化することが可能となる。【００１３】
また、本発明に係るモジュール基板は、複数の前記導体部を有し、複数の前記電子部品を実装した前記ベース基板の一面に接続されている柱状の端子接続基板を備え、前記端子接続基板は、少なくとも一角が平面及び／又は曲面で面取されており、面取した平面及び／又は曲面と接する側面にて前記ベース基板の一面に接続されていることが好ましい。【００１４】
上記構成では、端子接続基板は、少なくとも一角が平面及び／又は曲面で面取されており、面取した平面及び／又は曲面と接する側面にて複数の電子部品を実装したベース基板の一面に接続することにより、端子接続基板の下方にも電子部品を実装することが可能となる。したがって、電子部品を実装することができる領域を大きくすることができ、実装することが可能な電子部品の点数を増加させることができる。また、必要な点数の電子部品を実装する場合であっても、モジュール基板を小型化することが可能となる。【００１５】
また、本発明に係るモジュール基板は、前記端子接続基板は、面取した平面及び／又は曲面が前記ベース基板の内側を向くように配置されていることが好ましい。【００１６】
上記構成では、端子接続基板は、面取した平面及び／又は曲面がベース基板の内側を向くように配置されているので、端子接続基板の下方にも電子部品を実装することが可能となる。したがって、電子部品を実装することができる領域を大きくすることができ、実装することが可能な電子部品の点数を増加させることができる。また、必要な点数の電子部品を実装する場合であっても、モジュール基板を小型化することが可能となる。【００１７】
また、本発明に係るモジュール基板は、前記端子接続基板は、横断面形状が逆Ｌ字状であることが好ましい。【００１８】
上記構成では、端子接続基板は、横断面形状が逆Ｌ字状であるので、端子接続基板とベース基板の一面とで囲まれた凹部が形成され、形成された凹部に電子部品を実装することができる領域を確保することができる。したがって、実装することが可能な電子部品の点数を増加させることができ、必要な点数の電子部品を実装する場合であっても、モジュール基板を小型化することが可能となる。【００１９】
また、本発明に係るモジュール基板は、前記端子接続基板は、複数の絶縁部を有し、前記導体部と前記絶縁部とを交互に柱状に重ね合わせることが好ましい。【００２０】
上記構成では、端子接続基板は、複数の絶縁部を有し、導体部と絶縁部とを交互に柱状に重ね合わせるので、導体部の間の絶縁性が向上するとともに、端子接続基板を実装用基板に接続する場合、導体部が互いに離隔して配置されている端子接続基板に比べて、絶縁部を有している分だけ端子接続基板の実装用基板との接続領域を大きくすることができ、安定して実装用基板と端子接続基板とを接続することができる。【００２１】
また、本発明に係るモジュール基板は、前記端子接続基板の前記ベース基板の外側方向の側面に絶縁板が配置されていることが好ましい。【００２２】
上記構成では、端子接続基板のベース基板の外側方向の側面に絶縁板が配置されているので、端子接続基板のベース基板の外側方向の側面を保護して、端子接続基板の導体部の酸化を防ぐことができる。また、支持部が絶縁材料で構成されている場合であっても、端子接続基板のベース基板の外側方向の側面にシールド膜を設けることも可能となる。さらに、端子接続基板をベース基板の一面に接続する場合に、端子接続基板のベース基板の外側方向の側面から半田が流出するのを防ぐことができる。【００２３】
また、本発明に係るモジュール基板は、前記端子接続基板は、前記絶縁部及び／又は前記絶縁板で複数の前記導体部を固着してあることが好ましい。【００２４】
上記構成では、端子接続基板は、絶縁部及び／又は絶縁板で複数の導体部が固着されているので、複数の導体部を一つの端子接続基板として複数の電子部品を実装したベース基板の一面に一括して接続することができ、モジュール基板を製造する作業を軽減することができる。【００２５】
また、本発明に係るモジュール基板は、前記導体部又は前記端子接続基板は、前記ベース基板の外側方向の側面の位置を、前記ベース基板の側面の位置に合わせて配置されていることが好ましい。【００２６】
上記構成では、導体部又は端子接続基板は、ベース基板の外側方向の側面の位置を、ベース基板の側面の位置に合わせて配置されているので、モジュール基板を小型化しつつ、電子部品を実装することができる領域を大きくすることができる。【００２７】
また、本発明に係るモジュール基板は、前記ベース基板の一面に対して垂直方向から平面視した場合、前記導体部又は前記端子接続基板と前記電子部品とが重なる領域が存在することが好ましい。【００２８】
上記構成では、ベース基板の一面に対して垂直方向から平面視した場合、導体部又は端子接続基板と電子部品とが重なる領域が存在するので、実装することが可能な電子部品の点数を増加させることができ、必要な点数の電子部品を実装する場合であっても、モジュール基板を小型化することが可能となる。【００２９】
また、本発明に係るモジュール基板は、前記ベース基板の一面に実装した前記電子部品を被覆する樹脂層を備え、前記導体部又は前記端子接続基板の一部が前記樹脂層から露出されていることが好ましい。【００３０】
上記構成では、ベース基板の一面に実装した電子部品を被覆する樹脂層を備え、導体部又は端子接続基板の一部が樹脂層から露出されているので、ベース基板の一面に実装した電子部品の間の絶縁性が向上するとともに、ベース基板の両面に電子部品を実装する場合に、電子部品、端子接続基板を実装したベース基板の一面を樹脂層で被覆しておくことにより、ベース基板の他面に電子部品を実装するときに生じる応力等により、ベース基板の一面に実装した電子部品、端子接続基板が落下、移動等することを防止することが可能となる。【００３１】
また、本発明に係るモジュール基板は、前記導体部又は前記端子接続基板は、前記ベース基板と接続されている面と反対側の面で実装用基板と接続されていることが好ましい。【００３２】
上記構成では、導体部又は端子接続基板は、ベース基板と接続してある面と反対側の面で実装用基板と接続されているので、ベース基板と実装用基板との間に電子部品を実装することができるスペースを確保することができる。【００３３】
次に、上記目的を達成するために本発明に係るモジュール基板の製造方法は、少なくとも一面に複数の電子部品を実装した集合基板を分断して、該集合基板から複数のモジュール基板を切り出すモジュール基板の製造方法において、横断面形状がＴ字状である柱状の端子接続基板を形成する第１工程と、形成した柱状の前記端子接続基板を、切り出し位置を跨ぐように、前記集合基板の一面に接続する第２工程と、前記集合基板から前記切り出し位置にて複数のモジュール基板を切り出す第３工程とを含み、前記第３工程は、横断面形状がＴ字状である柱状の前記端子接続基板を、横断面形状が逆Ｌ字状である２つの柱状の前記端子接続基板に分割することを特徴とする。【００３４】
上記構成では、横断面形状がＴ字状である柱状の端子接続基板を形成し、形成した柱状の端子接続基板を、切り出し位置を跨ぐように、集合基板の一面に接続し、集合基板から切り出し位置にて複数のモジュール基板を切り出す。集合基板から複数のモジュール基板を切り出す場合、横断面形状がＴ字状である柱状の端子接続基板を、横断面形状が逆Ｌ字状である２つの柱状の端子接続基板に分割するので、端子接続基板とベース基板の一面とで囲まれた凹部が形成され、形成された凹部に電子部品を実装することができる領域を確保することができる。したがって、実装することが可能な電子部品の点数を増加させることができ、必要な点数の電子部品を実装する場合であっても、モジュール基板を小型化することが可能となる。【００３５】
また、本発明に係るモジュール基板の製造方法は、前記第１工程は、複数の導体部と、複数の絶縁部とを、交互に柱状に重ね合わせて前記端子接続基板を形成することを特徴とする。【００３６】
上記構成では、第１工程は、複数の導体部と、複数の絶縁部とを、交互に柱状に重ね合わせて端子接続基板を形成するので、導体部の間の絶縁性が向上するとともに、端子接続基板を実装用基板に接続する場合、導体部が互いに離隔して配置されている端子接続基板に比べて、絶縁部を有している分だけ端子接続基板の実装用基板との接続領域を大きくすることができ、安定して実装用基板と端子接続基板とを接続することができる。【００３７】
次に、上記目的を達成するために本発明に係るモジュール基板の製造方法は、少なくとも一面に複数の電子部品を実装した集合基板を分断して、該集合基板から複数のモジュール基板を切り出すモジュール基板の製造方法において、横断面形状が逆Ｌ字状である２つの柱状の端子接続基板を支持部で接続した、横断面形状がＴ字状である柱状の前記端子接続基板を形成する第１工程と、形成した柱状の前記端子接続基板を、前記支持部が切り出し位置を跨ぐように、前記集合基板の一面に接続する第２工程と、前記集合基板から前記切り出し位置にて複数のモジュール基板を切り出す第３工程とを含み、前記第３工程は、前記支持部を分断して、横断面形状が逆Ｌ字状である２つの柱状の前記端子接続基板に分割することを特徴とする。【００３８】
上記構成では、横断面形状が逆Ｌ字状である２つの柱状の端子接続基板を支持部で接続した、横断面形状がＴ字状である柱状の端子接続基板を形成し、形成した柱状の端子接続基板を、支持部が切り出し位置を跨ぐように、集合基板の一面に接続し、集合基板から切り出し位置にて複数のモジュール基板を切り出す。集合基板から複数のモジュール基板を切り出す場合、支持部を分断して、横断面形状が逆Ｌ字状である２つの柱状の端子接続基板に分割するので、端子接続基板とベース基板の一面とで囲まれた凹部が形成され、形成された凹部に電子部品を実装することができる領域を確保することができる。したがって、実装することが可能な電子部品の点数を増加させることができ、必要な点数の電子部品を実装する場合であっても、モジュール基板を小型化することが可能となる。また、支持部は、端子接続基板のベース基板の外側方向の側面を保護し、端子接続基板の導体部の酸化を防ぐことができる。さらに、支持部が絶縁材料で構成されている場合であっても、端子接続基板のベース基板の外側方向の側面にシールド膜を設けることも可能になる。【００３９】
また、本発明に係るモジュール基板の製造方法は、前記第３工程は、前記支持部を除去することを特徴とする。【００４０】
上記構成では、集合基板から複数のモジュール基板を切り出す場合、支持部を完全に除去するので、支持部を除去した分だけ、モジュール基板を小型化することが可能となる。【００４１】
また、本発明に係るモジュール基板の製造方法は、前記集合基板から複数のモジュール基板を切り出す前に、前記集合基板の少なくとも一面に実装した前記電子部品を被覆する樹脂層を形成する第４工程を含み、前記第４工程は、前記端子接続基板の一部が露出するように前記樹脂層を形成することを特徴とする。【００４２】
上記構成では、集合基板から複数のモジュール基板を切り出す前に、集合基板の少なくとも一面に実装した電子部品を被覆する樹脂層を、端子接続基板の一部が露出するように形成するので、集合基板の一面に実装した電子部品の間の絶縁性が向上するとともに、集合基板の両面に電子部品を実装する場合に、電子部品、端子接続基板を実装したベース基板の一面を樹脂層で被覆しておくことにより、ベース基板の他面に電子部品を実装するときに生じる応力等により、ベース基板の一面に実装した電子部品、端子接続基板が落下、移動等することを防止することが可能となる。
【発明の効果】
【００４３】
上記構成によれば、導体部又は柱状の端子接続基板は、少なくとも一角が平面及び／又は曲面で面取されており、面取した平面及び／又は曲面と接する側面にてベース基板の一面に接続することにより、導体部又は端子接続基板の下方にも電子部品を実装することが可能となる。したがって、電子部品を実装することができる領域を大きくすることができ、実装することが可能な電子部品の点数を増加させることができる。また、必要な点数の電子部品を実装する場合であっても、モジュール基板を小型化することが可能となる。【００４４】
また、上記構成によれば、横断面形状がＴ字状である柱状の端子接続基板を形成し、形成した柱状の端子接続基板を、切り出し位置を跨ぐように、集合基板の一面に接続し、集合基板から切り出し位置にて複数のモジュール基板を切り出す。集合基板から複数のモジュール基板を切り出す場合、横断面形状がＴ字状である柱状の端子接続基板を、横断面形状が逆Ｌ字状である２つの柱状の端子接続基板に分割するので、端子接続基板とベース基板の一面とで囲まれた凹部が形成され、形成された凹部に電子部品を実装することができる領域を確保することができる。したがって、実装することが可能な電子部品の点数を増加させることができ、必要な点数の電子部品を実装する場合であっても、モジュール基板を小型化することが可能となる。【００４５】
さらに、上記構成によれば、横断面形状が逆Ｌ字状である２つの柱状の端子接続基板を支持部で接続した、横断面形状がＴ字状である柱状の端子接続基板を形成し、形成した柱状の端子接続基板を、支持部が切り出し位置を跨ぐように、集合基板の一面に接続し、集合基板から切り出し位置にて複数のモジュール基板を切り出す。集合基板から複数のモジュール基板を切り出す場合、支持部を分断して、横断面形状が逆Ｌ字状である２つの柱状の端子接続基板に分割するので、端子接続基板とベース基板の一面とで囲まれた凹部が形成され、形成された凹部に電子部品を実装することができる領域を確保することができる。したがって、実装することが可能な電子部品の点数を増加させることができ、必要な点数の電子部品を実装する場合であっても、モジュール基板を小型化することが可能となる。また、支持部は、端子接続基板のベース基板の外側方向の側面を保護し、端子接続基板の導体部の酸化を防ぐことができる。さらに、支持部が絶縁材料で構成されている場合であっても、端子接続基板のベース基板の外側方向の側面にシールド膜を設けることも可能になる。
【図面の簡単な説明】
【００４６】
【図１】本発明の実施の形態１に係るモジュール基板の構成を示す模式図である。
【図２】本発明の実施の形態１に係る端子接続基板の構成を示す斜視図である。
【図３】本発明の実施の形態１に係る端子接続基板の配置を示すモジュール基板の平面図である。
【図４】本発明の実施の形態１に係る端子接続基板の製造工程を示す斜視図である。
【図５】本発明の実施の形態１に係る絶縁部を有する端子接続基板の構成を示す斜視図である。
【図６】本発明の実施の形態１に係るモジュール基板の製造工程を示す模式図である。
【図７】本発明の実施の形態１に係る端子接続基板の横断面形状を示す模式図である。
【図８】本発明の実施の形態２に係るモジュール基板の構成を示す模式図である。
【図９】本発明の実施の形態２に係る端子接続基板の配置を示すモジュール基板の平面図である。
【図１０】本発明の実施の形態２に係る端子接続基板の構成を示す斜視図である。
【図１１】本発明の実施の形態２に係るモジュール基板の製造工程を示す模式図である。
【図１２】本発明の実施の形態３に係る端子接続基板の構成を示す斜視図である。
【図１３】本発明の実施の形態３に係る端子接続基板の配置を示すモジュール基板の平面図である。
【図１４】本発明の実施の形態３に係る端子接続基板の別の配置を示すモジュール基板の平面図である。
【図１５】本発明の実施の形態４に係るモジュール基板の構成を示す模式図である。
【図１６】本発明の実施の形態４に係るモジュール基板の製造工程を示す模式図である。
【図１７】本発明の他の実施の形態に係る導体部の構成を示す斜視図である。
【図１８】本発明の他の実施の形態に係る導体部の配置を示すモジュール基板の平面図である。
【発明を実施するための形態】
【００４７】
以下、本発明の実施の形態について、図面を参照しながら詳細に説明する。
【００４８】
（実施の形態１）
図１は、本発明の実施の形態１に係るモジュール基板の構成を示す模式図である。図１に示すように、モジュール基板１０は、ベース基板１、ベース基板１の一面に実装した複数の電子部品２、複数の電子部品２を実装したベース基板１の一面に接続した端子接続基板３、ベース基板１の一面に実装した電子部品２を被覆する樹脂層４を備えている。
【００４９】
ベース基板１は、ＬＴＣＣ（低温焼成セラミックス：Ｌｏｗ  Ｔｅｍｐｅｒａｔｕｒｅ  Ｃｏ−ｆｉｒｅｄ  Ｃｅｒａｍｉｃｓ）基板、有機基板等、特に限定されるものではない。ベース基板１の電子部品２を実装する面には、表面電極（図示せず）が形成されている。電子部品２は、ベース基板１の一面に表面実装することが可能な表面実装型電子部品（Ｓｕｒｆａｃｅ  Ｍｏｕｎｔ  Ｄｅｖｉｃｅ）である。
【００５０】
端子接続基板３は、少なくとも一角が平面及び／又は曲面で面取されている柱状の基板である。例えば本実施の形態１では、端子接続基板３は、横断面形状が逆Ｌ字状である柱状の基板であり、複数の電子部品２を実装したベース基板１の一面に電気的に接続してある複数の導体部を有している。本実施の形態１においては、端子接続基板３の横断面における高さＨ、幅Ｗの部分が面取されている。端子接続基板３は、その面取されている部分がベース基板１の内側を向くように配置してある。すなわち、本実施の形態１では、端子接続基板３を、複数の電子部品２を実装したベース基板１の一面に横断面形状が逆Ｌ字状になるように接続してあり、端子接続基板３とベース基板１の一面とで囲まれた凹部３ｃの開口（点線で囲まれた部分）がベース基板１の内側へ向くように接続してある。したがって、凹部３ｃにより電子部品２を実装することができる領域を領域１ａ分大きくすることができる。つまり、実装することが可能な電子部品２の点数を増加させることができ、必要な点数の電子部品を実装する場合であっても、モジュール基板１０を小型化することができる。また、図示していない実装用基板（マザー基板）は、端子接続基板３と接続するが、安定して接続するためには端子接続基板３との接続領域が所定面積必要となる。従来のように角柱状、円柱状の端子接続基板を用いる場合、実装用基板と端子接続基板３との接続領域を所定面積にすると、ベース基板１と端子接続基板３との接続領域も所定面積となり、電子部品２を実装することができる領域が小さくなる。それに対して本実施の形態１では、実装用基板と端子接続基板３との接続領域を所定面積にしても、ベース基板１と端子接続基板３との接続領域を所定面積より小さくすることができ、電子部品２を実装することができる領域を大きくすることができる。なお、実装用基板とは、複数のモジュール基板１０、電子部品２等を実装して、それぞれを電気的に接続するための電子回路基板である。
【００５１】
樹脂層４は、エポキシ樹脂等からなる絶縁材料であるため、ベース基板１の一面に実装した電子部品２の間の絶縁性が向上するとともに、ベース基板１の両面に電子部品２を実装する場合に、電子部品２、端子接続基板３を実装したベース基板１の一面を樹脂層４で被覆しておくことにより、ベース基板１の他面に電子部品を実装するときに生じる応力等により、ベース基板１の一面に実装した電子部品２、端子接続基板３が落下、移動等することを防止することが可能となる。なお、ベース基板１の一面に実装した電子部品２の間の絶縁性等を考慮する必要がなければ、樹脂層４を形成しなくても良い。
【００５２】
図２は、本発明の実施の形態１に係る端子接続基板３の構成を示す斜視図である。図２に示すように、端子接続基板３は、導体部３１と絶縁部３２とを交互に柱状に重ね合わせて形成してある。導体部３１の間に絶縁部３２が設けられているので、導体部３１の間の絶縁性が向上する。また、端子接続基板３に実装用基板を接続する場合に、導体部が互いに離隔して配置されている端子接続基板に比べて、絶縁部３２を有している分だけ端子接続基板３の実装用基板との接続領域を大きくすることができ、安定して実装用基板と端子接続基板３とを接続することができる。さらに、端子接続基板３は、絶縁部３２で複数の導体部３１を固着することで、複数の導体部３１を一つの端子接続基板３として複数の電子部品２を実装したベース基板１の一面に一括して接続することができ、モジュール基板１０を製造する作業を軽減することができる。
【００５３】
なお、端子接続基板３の導体部３１は、銅等からなる導電材料で構成され、絶縁部３２は、セラミック、ガラス、エポキシ樹脂等からなる絶縁材料で構成されている。図１に示すように、複数の電子部品２を実装したベース基板１の一面に端子接続基板３を接続したときの端子接続基板３とベース基板１の一面とで囲まれた凹部３ｃの高さＨは、ベース基板１の一面に実装された電子部品２の高さｈよりも高いことが好ましい。
【００５４】
図３は、本発明の実施の形態１に係る端子接続基板３の配置を示すモジュール基板１０の平面図である。図３に示すように、端子接続基板３は、矩形のベース基板１の四つの外周辺にそれぞれ接続されている。図１に示すように、端子接続基板３は、ベース基板１の外側方向の側面３ｄの位置を、ベース基板１の側面１ｂの位置に合わせて配置することで、モジュール基板１０を小型化しつつ、電子部品２を実装することができる領域を大きくすることができる。
【００５５】
なお、ベース基板１の各外周辺に接続されている端子接続基板３は、それぞれ別個の端子接続基板であっても良いし、二辺乃至四辺に接続する端子接続基板を一体化してあっても良い。また、導体部３１と絶縁部３２とを複数の電子部品２を実装したベース基板１の一面に交互に柱状に重ね合わせて端子接続基板３を形成しても良いし、図２に示したような、複数の導体部３１と複数の絶縁部３２とを交互に柱状に重ね合わせた端子接続基板３を形成しておき、形成した端子接続基板３を複数の電子部品２を実装したベース基板１の一面に接続しても良い。さらに、端子接続基板３は、絶縁部３２を設けずに複数の導体部３１のみで櫛歯状に形成しても良い。
【００５６】
図４は、本発明の実施の形態１に係る端子接続基板３の製造工程を示す斜視図である。まず図４（ａ）に示すように、セラミック、ガラス、エポキシ樹脂等からなる絶縁基板３５の両面に所定の厚みを有している銅箔３６を張り付ける。本実施の形態１では、銅箔３６の厚みをそれぞれ３００μｍとする。なお、絶縁基板３５は、剛性の高い基板であっても良いし、可撓性を有している基板であっても良い。また、銅箔３６は純銅に限定されるものではなく、リン青銅、黄銅等の銅合金であっても良い。銅合金は純銅と比較して加工性が高いので、ダイサーによる分断時、上面研磨時等にバリ、延び等が発生しにくい。
【００５７】
さらに、銅箔３６はメッキ加工により形成しても良い。例えば１５０μｍ前後の厚みを有している銅箔を絶縁基板３５の両面に張り付け、その上にメッキ加工することにより２００〜４００μｍの厚みにすれば足りる。銅箔３６の厚みは１００〜５００μｍ、特に２００〜４００μｍが好ましい。
【００５８】
次に、図４（ｂ）に示すように、両面に張り付けた銅箔３６のそれぞれ同じ位置に、櫛形の溝３７を形成する。溝３７の形成方法は特に限定されるものではないが、例えばエッチング加工、ダイサーによる切削加工、両者を併用する加工等、確実に銅箔３６を除去して溝３７を形成することができる方法であれば良い。
【００５９】
そして、図４（ｃ）に示すように、形成した溝３７に交差する方向に、絶縁基板３５及び銅箔３６をダイサーで分断し、図４（ｄ）に示すような絶縁体（支持部）３８の両面に導体部３１を有している端子接続基板３を切り出す。ダイサーで分断して切り出す幅が、複数の電子部品２を実装したベース基板１の一面に接続した場合の端子接続基板３の高さとなる。したがって、ダイサーで分断して切り出す幅は、実装する電子部品２の高さより少なくとも１００μｍは長くする必要がある。実装する電子部品２の高さのばらつきにより、電子部品２の高さの方が、ベース基板１に接続した場合の端子接続基板３の高さよりも高くなった場合に、実装用基板との間に接続不良が生じるおそれがあるからである。切り出した端子接続基板３の導体部３１にメッキ処理、又は防錆処理を施し、図４（ｅ）に示すように９０度回転させて絶縁体３８の両側面に導体部３１が配置されている状態にする。なお、メッキ膜は、Ｎｉ／Ｓｎ、Ｎｉ／Ａｕ又はＮｉ／Ｐｄ／Ａｕ等を湿式メッキ等で成膜する。また、防錆処理を施すことにより、導体部３１を構成している銅の酸化の進行を抑制することができ、ベース基板１への接続時の半田濡れ性を向上させることができる。
【００６０】
さらに、ダイサーで形成した溝３７のうち、所望の位置にある溝３７にて分断することにより、所望の数の導体部３１を設けた端子接続基板３を製造することができる。
【００６１】
次に、導体部３１の間にレジストを印刷して絶縁部３２を形成する。図５は、本発明の実施の形態１に係る絶縁部３２を有する端子接続基板３の構成を示す斜視図である。図５に示すように、絶縁体３８の両側面に配置されている導体部３１の間を埋めるように絶縁部３２を形成する。さらに、破線３９の部分を面取することで、絶縁体３８の両側面に導体部３１と絶縁部３２とを交互に柱状に重ね合わせた、横断面形状がＴ字状である柱状の端子接続基板３を形成することができる。つまり、図２に示すような横断面形状が逆Ｌ字状である２つの柱状の端子接続基板３を絶縁体３８で接続した、横断面形状がＴ字状である柱状の端子接続基板３を形成することができる。
【００６２】
なお、絶縁体３８に代えて厚み（端子接続基板３が絶縁体３８を挟む方向の厚み）が薄い銅箔を用いた場合、横断面形状が逆Ｌ字状である２つの柱状の端子接続基板３を銅箔で接続して一体化し、横断面形状がＴ字状である柱状の端子接続基板３を形成することができる。以下、本発明の実施の形態１に係るモジュール基板１０の製造工程では、横断面形状が逆Ｌ字状である２つの柱状の端子接続基板３を一体化した、横断面形状がＴ字状である柱状の端子接続基板３を用いてモジュール基板１０を製造する方法について説明する。
【００６３】
図６は、本発明の実施の形態１に係るモジュール基板１０の製造工程を示す模式図である。まず、図６（ａ）に示すように、集合基板１００の一面において、半田が印刷されている表面電極（図示せず）上に電子部品２を実装するとともに、横断面形状が逆Ｌ字状である２つの柱状の端子接続基板３を一体化した、横断面形状がＴ字状である柱状の端子接続基板３を接続する。なお、同じ製造工程で、集合基板１００に電子部品２を実装し、端子接続基板３を接続しても良いし、集合基板１００に電子部品２を実装し、別の製造工程で端子接続基板３を接続しても良い。
【００６４】
ここで、ＬＴＣＣ基板を用いて集合基板１００を作成する方法について説明する。まずＰＥＴフィルム上にセラミックスラリーをコーティングした後、乾燥させ、厚み１０〜２００μｍのセラミックグリーンシートを作成する。作成したセラミックグリーンシートに金型、レーザ等により直径略０．１ｍｍのビアホールをＰＥＴフィルム側から形成する。次に、銀又は銅を主成分とする金属粉、樹脂、有機溶剤を混練した電極ペーストをビアホール内に充填して乾燥させる。そして、セラミックグリーンシート上に同等の電極ペーストを所望のパターンにスクリーン印刷等し、乾燥させる。
【００６５】
この状態で複数のセラミックグリーンシートを積み重ね、圧力１００〜１５００ｋｇ／ｃｍ2 、温度４０〜１００℃にて圧着する。その後、電極ペーストが銀を主成分とする場合には空気中で略８５０℃、銅を主成分とする場合には窒素雰囲気中で略９５０℃にて焼成し、電極にＮｉ／Ｓｎ、Ｎｉ／Ａｕ又はＮｉ／Ｐｄ／Ａｕ等を湿式メッキ等で成膜することで、集合基板１００を作成する。
【００６６】
端子接続基板３を、隣接する２つのベース基板１の切り出し位置を跨ぐように、集合基板１００の一面に接続する。端子接続基板３は、ベース基板１の外側方向の側面の位置を、それぞれのベース基板１の側面の位置に合わせて配置し接続してある。また、電子部品２は、集合基板１００の一面だけでなく、他面にも実装することができることは言うまでもない。
【００６７】
次に、図６（ｂ）に示すように、複数のベース基板１（集合基板１００）の一面に実装した電子部品２を被覆する樹脂層４を形成する。樹脂層４は、端子接続基板３の一部が露出するように天面を研磨してある。次に、図６（ｃ）に示すように、ダイサーを用いて、端子接続基板３の天面からベース基板１（集合基板１００）に至る溝５を形成する。溝５を形成することで、横断面形状がＴ字状である柱状の端子接続基板３を、横断面形状が逆Ｌ字状である２つの柱状の端子接続基板３に分割する。なお、溝５を形成した場合であっても、隣接する２つのベース基板１（集合基板１００）の一部又は全部が繋がっている。
【００６８】
次に、図６（ｄ）に示すように、樹脂層４から露出している端子接続基板３の導体部３１に、湿式メッキ等でＮｉ／Ｓｎ、Ｎｉ／Ａｕ又はＮｉ／Ｐｄ／Ａｕ等を成膜し、メッキ層６を形成する。なお、隣接する２つのベース基板１の一部又は全部が繋がっているため、メッキ層６を一括して形成することができ、集合基板１００から複数のモジュール基板１０を切り出した後に、個々のモジュール基板１０にメッキ層６を形成する場合に比べて効率的に作業ができる。
【００６９】
次に、図６（ｅ）に示すように、ダイサーを用いて、集合基板１００を分断して、複数のモジュール基板１０を切り出す。次に、図６（ｆ）に示すように、切り出したモジュール基板１０を実装用基板２０に実装する。実装用基板２０の半田が印刷されている表面電極２１に、メッキ層６を形成した端子接続基板３の導体部３１を接続して、切り出したモジュール基板１０を実装用基板２０に実装する。つまり、端子接続基板３は、ベース基板１と接続してある面と反対側の面で実装用基板２０と接続してあるので、ベース基板１と実装用基板２０との間に電子部品２を実装することができるスペースを確保することができる。
【００７０】
以上のように、本発明の実施の形態１によれば、端子接続基板３は、少なくとも一角が平面及び／又は曲面で面取されており、面取した平面及び／又は曲面と接する側面にて複数の電子部品２を実装したベース基板１の一面に接続することにより、端子接続基板３の下方にも電子部品２を実装することが可能となる。したがって、電子部品２を実装することができる領域を大きくすることができ、実装することが可能な電子部品２の点数を増加させることができる。また、必要な点数の電子部品２を実装する場合であっても、モジュール基板１０を小型化することが可能となる。特に、図１に示す端子接続基板３は横断面形状が逆Ｌ字状であるので、端子接続基板３とベース基板１の一面とで囲まれた凹部３ｃが形成され、形成された凹部３ｃに電子部品２を実装することができる領域を確保することができる。
【００７１】
なお、端子接続基板３は、横断面形状が逆Ｌ字状であることに限定されるものではなく、端子接続基板３の少なくとも一角が平面及び／又は曲面で面取されており、ベース基板１の一面に対して垂直方向から平面視した場合、端子接続基板３と電子部品２とが重なる領域が存在する形状であれば良い。
【００７２】
図７は、本発明の実施の形態１に係る端子接続基板３の横断面形状を示す模式図である。図７（ａ）に示す端子接続基板３の横断面形状は、一つの角を曲面で面取した逆Ｌ字状である。図７（ｂ）に示す端子接続基板３の横断面形状は、対向する２つの角を曲面で面取した略円弧状である。この場合も、端子接続基板３は、実装用基板２０と接続する部分が平らに形成されていることが好ましい。図７（ｃ）に示す端子接続基板３の横断面形状は、一つの角を平面で面取した五角形状である。図７（ｄ）に示す端子接続基板３の横断面形状は、一つの角を平面で面取した台形状である。いずれの形状も、ベース基板１の一面に対して垂直方向から平面視した場合、端子接続基板３と電子部品２とが重なる領域が存在する。すなわち端子接続基板３の下方にも電子部品２を実装することが可能な領域１ｄが存在する。なお、端子接続基板３は、実装用基板２０に接続する面の面積（領域１ｃの面積）がベース基板１に接続する面の面積（領域１ｅの面積）より大きく、ベース基板１の外側方向の側面の位置を、ベース基板１の側面の位置に合わせて配置し接続することができる形状であれば、図７（ａ）〜（ｄ）に示す端子接続基板３の形状に限定されるものではない。
【００７３】
また、図６に示したように、ベース基板１を切り出す前の集合基板１００の一面に端子接続基板３を接続する場合に限定されるものではなく、集合基板１００から切り出したベース基板１の一面に端子接続基板３を接続しても良い。
【００７４】
（実施の形態２）
本発明の実施の形態２に係るモジュール基板は、ベース基板１の一面に接続した端子接続基板３のベース基板１の外側方向の側面に絶縁板を配置してある。図８は、本発明の実施の形態２に係るモジュール基板の構成を示す模式図である。図８に示すように、モジュール基板１１は、ベース基板１の一面に接続した端子接続基板３のベース基板１の外側方向の側面３ｄに絶縁板７を配置してある。なお、モジュール基板１１は、絶縁板７を配置してある以外は、図１に示したモジュール基板１０と同じ構成であるため、同じ構成要素に同じ符号を付して詳細な説明は省略する。
【００７５】
図９は、本発明の実施の形態２に係る端子接続基板３の配置を示すモジュール基板１１の平面図である。図９に示すように、端子接続基板３は、矩形のベース基板１の周縁部にそれぞれ接続されている。接続されている端子接続基板３のベース基板１の外側方向の側面に絶縁板７を配置してある。図８に示すように、絶縁板７のベース基板１の外側方向の側面７ａの位置を、ベース基板１の側面１ｂに合わせて配置してあるので、モジュール基板１１を小型化しつつ、電子部品２を実装することができる領域を大きくすることができる。なお、絶縁板７は、端子接続基板３のベース基板１の外側方向の側面全体に配置していなくても良い。
【００７６】
図１０は、本発明の実施の形態２に係る端子接続基板３の構成を示す斜視図である。図１０に示すように、横断面形状が逆Ｌ字状である２つの柱状の端子接続基板３を絶縁体（支持部）３８で接続した、横断面形状がＴ字状である柱状の端子接続基板３を形成する。端子接続基板３は、絶縁部３２及び絶縁体（支持部）３８で複数の導体部３１を固着してあり、絶縁体（支持部）３８の両側面に導体部３１と絶縁部３２とを交互に柱状に重ね合わせて形成してある。また、横断面形状がＴ字状である柱状の端子接続基板３の製造方法は、図４に示した製造方法と同じであるため詳細な説明は省略する。
【００７７】
横断面形状がＴ字状である柱状の端子接続基板３を集合基板１００に接続してモジュール基板１１を製造する方法について説明する。図１１は、本発明の実施の形態２に係るモジュール基板１１の製造工程を示す模式図である。まず、図１１（ａ）に示すように、集合基板１００の一面において、半田が印刷されている表面電極（図示せず）上に電子部品２を実装するとともに、横断面形状が逆Ｌ字状である２つの柱状の端子接続基板３を絶縁体（支持部）３８で接続した、横断面形状がＴ字状である柱状の端子接続基板３を接続する。なお、同じ製造工程で、集合基板１００に電子部品２を実装し、端子接続基板３を接続しても良いし、集合基板１００に電子部品２を実装し、別の製造工程で端子接続基板３を接続しても良い。
【００７８】
端子接続基板３を、絶縁体３８が隣接する２つのベース基板１の切り出し位置を跨ぐように、集合基板１００の一面に接続する。電子部品２は、集合基板１００の一面だけでなく、他面にも実装することができることは言うまでもない。
【００７９】
次に、図１１（ｂ）に示すように、複数のベース基板１（集合基板１００）の一面に実装した電子部品２を被覆する樹脂層４を形成する。樹脂層４は、端子接続基板３の一部が露出するように天面を研磨してある。次に、図１１（ｃ）に示すように、ダイサーを用いて、端子接続基板３の天面からベース基板１（集合基板１００）に至る溝５を形成する。溝５を形成することで、絶縁体３８が分断され、横断面形状が逆Ｌ字状である２つの柱状の端子接続基板３に分割する。溝５の幅（端子接続基板３が絶縁体３８を挟む方向の幅）が、絶縁体３８の幅（端子接続基板３が絶縁体３８を挟む方向の幅）より小さいので、端子接続基板３のベース基板１の外側方向の側面に分断された絶縁体３８が残り、絶縁板７として形成される。なお、溝５を形成した場合であっても、隣接する２つのベース基板１（集合基板１００）の一部又は全部が繋がっている。
【００８０】
次に、図１１（ｄ）に示すように樹脂層４から、露出している端子接続基板３の導体部３１に、湿式メッキ等でＮｉ／Ｓｎ、Ｎｉ／Ａｕ又はＮｉ／Ｐｄ／Ａｕ等を成膜し、メッキ層６を形成する。なお、隣接する２つのベース基板１の一部又は全部が繋がっているため、メッキ層６を一括して形成することができ、集合基板１００から複数のモジュール基板１１を切り出した後に、個々のモジュール基板１１にメッキ層６を形成する場合に比べて効率的に作業ができる。
【００８１】
次に、図１１（ｅ）に示すように、ダイサーを用いて、集合基板１００を分断して複数のモジュール基板１１を切り出す。次に、図１１（ｆ）に示すように、切り出したモジュール基板１１を実装用基板２０に実装する。実装用基板２０の半田が印刷されている表面電極２１に、メッキ層６を形成した端子接続基板３の導体部３１を接続して、切り出したモジュール基板１１を実装用基板２０に実装する。
【００８２】
以上のように、本発明の実施の形態２によれば、横断面形状が逆Ｌ字状である２つの柱状の端子接続基板３を絶縁体（支持部）３８で接続した、横断面形状がＴ字状である柱状の端子接続基板３を形成し、形成した柱状の端子接続基板３を、絶縁体（支持部）３８が、切り出し位置を跨ぐように、集合基板１００の一面に接続し、集合基板１００から切り出し位置にて複数のモジュール基板１１を切り出す。集合基板１００から複数のモジュール基板１１を切り出す場合、絶縁体（支持部）３８を分断して、横断面形状が逆Ｌ字状である２つの柱状の端子接続基板３に分割するので、端子接続基板３とベース基板１の一面とで囲まれた凹部が形成され、形成された凹部に電子部品２を実装することができる領域を確保することができる。したがって、実装することが可能な電子部品２の点数を増加させることができ、必要な点数の電子部品２を実装する場合であっても、モジュール基板１１を小型化することが可能となる。また、絶縁体（支持部）３８は、端子接続基板３のベース基板１の外側方向の側面を保護し、端子接続基板３の導体部３１の酸化を防ぐことができる。さらに、絶縁体（支持部）３８が絶縁材料で構成されている場合であっても、端子接続基板３のベース基板１の外側方向の側面にシールド膜を設けることも可能になる。
【００８３】
なお、図１１に示したように、ベース基板１を切り出す前の集合基板１００の一面に端子接続基板３を接続する場合に限定されるものではなく、集合基板１００から切り出したベース基板１の一面に端子接続基板３を接続しても良い。
【００８４】
（実施の形態３）
本発明の実施の形態３に係るモジュール基板は、実施の形態２と同様にベース基板１の一面に接続した端子接続基板３のベース基板１の外側方向の側面に絶縁板７を配置してあるが、端子接続基板３が絶縁部を有していない。図１２は、本発明の実施の形態３に係る端子接続基板３の構成を示す斜視図である。図１２に示すように、絶縁体（支持部）３８で複数の導体部３１を固着して横断面形状が逆Ｌ字状である２つの柱状の端子接続基板３を一つの端子接続基板３として形成する。つまり、横断面形状が逆Ｌ字状である２つの柱状の端子接続基板３を絶縁体３８で接続した、横断面形状がＴ字状である柱状の端子接続基板３を形成する。なお、端子接続基板３は、複数の導体部３１が所定の間隔で配置され、導体部３１と導体部３１との間に絶縁部を有していない構成である。また、横断面形状がＴ字状である柱状の端子接続基板３の製造方法は、図４に示した製造方法と同じであるため詳細な説明は省略する。さらに、本発明の実施の形態３に係るモジュール基板は、図８に示したモジュール基板１１と同じ構成であるため、詳細な説明は省略する。
【００８５】
図１３は、本発明の実施の形態３に係る端子接続基板３の配置を示すモジュール基板の平面図である。図１３に示すように、端子接続基板３は、矩形のベース基板１の周縁部にそれぞれ接続されている。接続されている端子接続基板３のベース基板１の外側方向の側面に絶縁板７を配置してある。本発明の実施の形態３に係るモジュール基板１２は、複数の導体部３１が所定の間隔で配置され、導体部３と導体部３との間に絶縁部を有していない柱状の端子接続基板３を、複数の電子部品２を実装したベース基板１の一面に接続している。なお、モジュール基板１２の製造方法は、図１１に示した製造方法と同じであるため詳細な説明は省略する。
【００８６】
以上のように、本発明の実施の形態３によれば、複数の導体部３１が所定の間隔で配置され、導体部３１と導体部３１との間に絶縁部を有していない端子接続基板３は、絶縁体３８（絶縁板７）で複数の導体部３１を固着して横断面形状が逆Ｌ字状である２つの柱状の端子接続基板３を一つの端子接続基板３として接続してあるので、複数の導体部３１を一つの端子接続基板３として複数の電子部品２を実装してあるベース基板１の一面に一括して接続することができ、モジュール基板１２を製造する作業を軽減することができる。
【００８７】
なお、絶縁体３８で複数の導体部３１を固着してある端子接続基板３をベース基板１の一面に接続した後に、絶縁体３８を除去しても良い。具体的に、図１１（ｃ）で形成する溝５の幅を、絶縁体３８の幅より大きくすることで、溝５を形成するときに絶縁板７として形成される絶縁体３８を削り取り、端子接続基板３のベース基板１の外側方向の側面に絶縁板７を形成する絶縁体３８を除去することができる。図１４は、本発明の実施の形態３に係る端子接続基板３の別の配置を示すモジュール基板の平面図である。図１４に示すように、絶縁板７（絶縁体３８）を除去することで、絶縁体３８を除去した分（破線で示したモジュール基板１２の外形とモジュール基板１３との外形の差分）だけ、モジュール基板１３を小型化できる。なお、全ての絶縁体３８を除去せずに、一部には絶縁板７を形成しても良い。
【００８８】
（実施の形態４）
本発明の実施の形態４に係るモジュール基板は、ベース基板１の両面に電子部品を実装している。図１５は、本発明の実施の形態４に係るモジュール基板の構成を示す模式図である。図１５に示すように、モジュール基板１４は、ベース基板１の両面に電子部品２、２ａを実装している。なお、モジュール基板１４は、基本的にベース基板１の両面に電子部品２、２ａを実装している以外は、図１に示したモジュール基板１０と同じ構成であるため、同じ構成要素に同じ符号を付して詳細な説明は省略する。
【００８９】
図１６は、本発明の実施の形態４に係るモジュール基板１４の製造工程を示す模式図である。まず、図１６（ａ）に示すように、集合基板１００の一面において、半田が印刷されている表面電極（図示せず）上に電子部品２を実装するとともに、横断面形状がＴ字状である柱状の端子接続基板３を接続する。なお、同じ製造工程で、集合基板１００に電子部品２を実装し、端子接続基板３を接続しても良いし、集合基板１００に電子部品２を実装し、別の製造工程で端子接続基板３を接続しても良い。
【００９０】
端子接続基板３を、隣接する２つのベース基板１の切り出し位置を跨ぐように、集合基板１００の一面に接続する。端子接続基板３は、ベース基板１の外側方向の側面の位置を、それぞれのベース基板１の側面の位置に合わせて配置し接続してある。
【００９１】
次に、図１６（ｂ）に示すように、複数のベース基板１（集合基板１００）の一面に実装した電子部品２を被覆する樹脂層４を形成する。樹脂層４は、端子接続基板３の一部が露出するように天面を研磨してある。次に、図１６（ｃ）に示すように、図１６（ａ）で電子部品２を実装した集合基板１００の一面の反対側の一面において、半田が印刷されている表面電極（図示せず）上に電子部品２ａを実装する。次に、図１６（ｄ）に示すように、ベース基板１の一面に実装した電子部品２ａを被覆する樹脂層４ａを形成する。
【００９２】
次に、図１６（ｅ）に示すように、ダイサーを用いて、端子接続基板３の天面からベース基板１の方向に溝５を、樹脂層４ａの天面からベース基板１に至る溝５ａをそれぞれ形成する。溝５を形成することで、横断面形状がＴ字状である柱状の端子接続基板３を、横断面形状が逆Ｌ字状である２つの柱状の端子接続基板３に分割する。溝５ａは、溝５を形成したベース基板１の一面と反対側の一面の、対応する位置に形成されている。なお、溝５、５ａを形成した場合であっても、隣接する２つのベース基板１の一部又は全部が繋がっている。
【００９３】
次に、図１６（ｆ）に示すように、樹脂層４から露出している端子接続基板３の導体部３１に、湿式メッキ等でＮｉ／Ｓｎ、Ｎｉ／Ａｕ又はＮｉ／Ｐｄ／Ａｕ等を成膜し、メッキ層６を形成する。なお、隣接する２つのベース基板１の一部又は全部が繋がっているため、メッキ層６を一括して形成することができ、集合基板１００から複数のモジュール基板１４を切り出した後に、個々のモジュール基板１４にメッキ層６を形成する場合に比べて効率的に作業ができる。
【００９４】
次に、図１６（ｇ）に示すように、樹脂層４ａの天面及び溝５ａにより形成された樹脂層４ａの側面に導電材料でシールド層８を形成する。次に、図１６（ｈ）に示すように、ダイサーを用いて、集合基板１００を分断して、複数のモジュール基板１４を切り出し、切り出したモジュール基板１４を実装用基板２０に実装する。実装用基板２０の半田が印刷されている表面電極２１に、メッキ層６を形成した端子接続基板３の導体部３１を接続して、切り出したモジュール基板１４を実装用基板２０に実装する。
【００９５】
以上のように、本発明の実施の形態４によれば、ベース基板１の両面に電子部品２、２ａを実装しているので、実装することが可能な電子部品２、２ａの点数を増加でき、必要な点数の電子部品２、２ａを実装する場合であっても、モジュール基板１４を小型化することが可能となる。
【００９６】
なお、図１６に示したように、ベース基板１を切り出す前の集合基板１００の一面に端子接続基板３を接続する場合に限定されるものではなく、集合基板１００から切り出したベース基板１の一面に端子接続基板３を接続しても良い。実施の形態１乃至４においては、複数の導体部３１を有する柱状の端子接続基板３を備えるモジュール基板１０〜１４の製造方法について説明したが、個別に導体部３１を複数準備しておき、ベース基板１に接続しても良い。
【００９７】
図１７は、本発明の他の実施の形態に係る導体部３１の構成を示す斜視図である。図１７に示すように、横断面形状が逆Ｌ字状である導体部３１を複数個、個別に形成する。図１８は、本発明の他の実施の形態に係る導体部３１の配置を示すモジュール基板の平面図である。図１８に示すように、モジュール基板１５は、導体部３１が矩形のベース基板１の周縁部にそれぞれ個別に配置されている。
【符号の説明】
【００９８】
１  ベース基板
２、２ａ  電子部品
３  端子接続基板
４、４ａ  樹脂層
５、５ａ、３７  溝
６  メッキ層
７  絶縁板
８  シールド層
１０〜１５  モジュール基板
２０  実装用基板
３１  導体部
３２  絶縁部
３５  絶縁基板
３６  銅箔
３８  絶縁体（支持部）
【図１】
2012056879.tif 000003
【図２】
2012056879.tif 000004
【図３】
2012056879.tif 000005
【図４】
2012056879.tif 000006
【図５】
2012056879.tif 000007
【図６】
2012056879.tif 000008
【図７】
2012056879.tif 000009
【図８】
2012056879.tif 000010
【図９】
2012056879.tif 000011
【図１０】
2012056879.tif 000012
【図１１】
2012056879.tif 000013
【図１２】
2012056879.tif 000014
【図１３】
2012056879.tif 000015
【図１４】
2012056879.tif 000016
【図１５】
2012056879.tif 000017
【図１６】
2012056879.tif 000018
【図１７】
2012056879.tif 000019
【図１８】
2012056879.tif 000020
【手続補正書】
【提出日】平成25年11月1日(2013.11.1)
【手続補正１】
【補正対象書類名】明細書
【補正対象項目名】０００７
【補正方法】変更
【補正の内容】
【０００７】
上記目的を達成するために本発明に係るモジュール基板は、ベース基板の少なくとも一面に複数の電子部品を実装したモジュール基板において、複数の前記電子部品を実装した前記ベース基板の一面に接続してある複数の導体部を備え、前記導体部は、少なくとも一角が平面及び／又は曲面で面取され、面取した平面及び／又は曲面と接する側面にて前記ベース基板の一面に接続され、面取した平面及び／又は曲面が前記ベース基板の内側を向くように配置され、前記ベース基板に直交する面での横断面形状が逆Ｌ字状であることを特徴とする。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
また、導体部は、面取した平面及び／又は曲面がベース基板の内側を向くように配置されているので、導体部の下方にも電子部品を実装することが可能となる。したがって、電子部品を実装することができる領域を大きくすることができ、実装することが可能な電子部品の点数を増加させることができる。また、必要な点数の電子部品を実装する場合であっても、モジュール基板を小型化することが可能となる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
さらに、導体部は、横断面形状が逆Ｌ字状であるので、導体部とベース基板の一面とで囲まれた凹部が形成され、形成された凹部に電子部品を実装することができる領域を確保することができる。したがって、実装することが可能な電子部品の点数を増加させることができ、必要な点数の電子部品を実装する場合であっても、モジュール基板を小型化することが可能となる。
【手続補正６】
【補正対象書類名】特許請求の範囲
【補正対象項目名】全文
【補正方法】変更
【補正の内容】
【特許請求の範囲】
【請求項１】
ベース基板の少なくとも一面に複数の電子部品を実装したモジュール基板において、
複数の前記電子部品を実装した前記ベース基板の一面に接続してある複数の導体部を備え、
前記導体部は、少なくとも一角が平面及び／又は曲面で面取され、面取した平面及び／又は曲面と接する側面にて前記ベース基板の一面に接続され、
面取した平面及び／又は曲面が前記ベース基板の内側を向くように配置され、
前記ベース基板に直交する面での横断面形状が逆Ｌ字状であることを特徴とするモジュール基板。
【請求項２】
複数の前記導体部を有し、複数の前記電子部品を実装した前記ベース基板の一面に接続されている柱状の端子接続基板を備え、
前記端子接続基板は、少なくとも一角が平面及び／又は曲面で面取されており、面取した平面及び／又は曲面と接する側面にて前記ベース基板の一面に接続されていることを特徴とする請求項１に記載のモジュール基板。
【請求項３】
前記端子接続基板は、面取した平面及び／又は曲面が前記ベース基板の内側を向くように配置されていることを特徴とする請求項２に記載のモジュール基板。
【請求項４】
前記端子接続基板は、横断面形状が逆Ｌ字状であることを特徴とする請求項２又は３に記載のモジュール基板。
【請求項５】
前記端子接続基板は、複数の絶縁部を有し、前記導体部と前記絶縁部とを交互に柱状に重ね合わせることを特徴とする請求項２乃至４のいずれか一項に記載のモジュール基板。
【請求項６】
前記端子接続基板の前記ベース基板の外側方向の側面に絶縁板が配置されていることを特徴とする請求項２乃至５のいずれか一項に記載のモジュール基板。
【請求項７】
前記端子接続基板は、前記絶縁部及び／又は前記絶縁板で複数の前記導体部を固着してあることを特徴とする請求項５又は６に記載のモジュール基板。
【請求項８】
前記導体部又は前記端子接続基板は、前記ベース基板の外側方向の側面の位置を、前記ベース基板の側面の位置に合わせて配置されていることを特徴とする請求項１乃至５又は７のいずれか一項に記載のモジュール基板。
【請求項９】
前記ベース基板の一面に対して垂直方向から平面視した場合、前記導体部又は前記端子接続基板と前記電子部品とが重なる領域が存在することを特徴とする請求項１乃至８のいずれか一項に記載のモジュール基板。
【請求項１０】
前記ベース基板の一面に実装した前記電子部品を被覆する樹脂層を備え、
前記導体部又は前記端子接続基板の一部が前記樹脂層から露出されていることを特徴とする請求項１乃至９のいずれか一項に記載のモジュール基板。
【請求項１１】
前記導体部又は前記端子接続基板は、前記ベース基板と接続されている面と反対側の面で実装用基板と接続されていること特徴とする請求項１乃至１０のいずれか一項に記載のモジュール基板。
【請求項１２】
少なくとも一面に複数の電子部品を実装した集合基板を分断して、該集合基板から複数のモジュール基板を切り出すモジュール基板の製造方法において、
横断面形状がＴ字状である柱状の端子接続基板を形成する第１工程と、
形成した柱状の前記端子接続基板を、切り出し位置を跨ぐように、前記集合基板の一面に接続する第２工程と、
前記集合基板から前記切り出し位置にて複数のモジュール基板を切り出す第３工程と
を含み、
前記第３工程は、横断面形状がＴ字状である柱状の前記端子接続基板を、横断面形状が逆Ｌ字状である２つの柱状の前記端子接続基板に分割することを特徴とするモジュール基板の製造方法。
【請求項１３】
前記第１工程は、複数の導体部と、複数の絶縁部とを、交互に柱状に重ね合わせて前記端子接続基板を形成することを特徴とする請求項１２に記載のモジュール基板の製造方法。
【請求項１４】
少なくとも一面に複数の電子部品を実装した集合基板を分断して、該集合基板から複数のモジュール基板を切り出すモジュール基板の製造方法において、
横断面形状が逆Ｌ字状である２つの柱状の端子接続基板を支持部で接続した、横断面形状がＴ字状である柱状の前記端子接続基板を形成する第１工程と、
形成した柱状の前記端子接続基板を、前記支持部が切り出し位置を跨ぐように、前記集合基板の一面に接続する第２工程と、
前記集合基板から前記切り出し位置にて複数のモジュール基板を切り出す第３工程と
を含み、
前記第３工程は、前記支持部を分断して、横断面形状が逆Ｌ字状である２つの柱状の前記端子接続基板に分割することを特徴とするモジュール基板の製造方法。
【請求項１５】
前記第３工程は、前記支持部を除去することを特徴とする請求項１４に記載のモジュール基板の製造方法。
【請求項１６】
前記集合基板から複数のモジュール基板を切り出す前に、前記集合基板の少なくとも一面に実装した前記電子部品を被覆する樹脂層を形成する第４工程を含み、
前記第４工程は、前記端子接続基板の一部が露出するように前記樹脂層を形成することを特徴とする請求項１２乃至１５のいずれか一項に記載のモジュール基板の製造方法。
【国際調査報告】
2012056879.tif 000021
2012056879.tif 000022
2012056879.tif 000023
2012056879.tif 000024